(57)【要約】【目的】火を付けてタバコを墓前や仏壇に供えるためのタバコ用供物具を提供する。【構成】タバコ２のフィルター部２ａを保持するフィルター保持部５とタバコ本体部２ｂの燃えた灰を受ける灰受け部６とを有する。フィルター保持部５は、フィルター２ａの径と略同じ深さで若干狭い幅のＵ字溝状で、フィルター部２ａより若干短い長さに形成する。灰受け部６は、タバコ本体部２ｂの径より若干大きな幅を有するＵ字溝状に形成し、灰受け部６の底面はフィルター保持部５の底面より下げてある。灰受け部６の上面は、酸欠防止用の切り欠き部８により形成されてフィルター保持部５の底面と略同一面となっており、フィルター保持部５と灰受け部６の合計長をタバコ１本の長さより長くする。【選択図】  図１
2006020792.tif 000002
【特許請求の範囲】
【請求項１】
タバコのフィルター部径と略同じ深さを有しかつ若干狭い幅を有するとともに、上記フィルター部より若干短い溝状のフィルター保持部と、
上記フィルター部から延設されたタバコ本体部の径より若干大きな幅を有する溝状の灰受け部とを備え、
上記灰受け部の底面をフィルター保持部の底面より下げるとともに、上記灰受け部をフィルター保持部の底面と略同一面として酸欠防止用の切り欠き部を形成し、上記フィルター保持部と灰受け部の合計長をタバコ１本の長さより長くしたことを特徴とするタバコ用供物具。
【請求項２】
上記供物具は、真鍮またはアルミニウムからなることを特徴とする請求項１記載のタバコ用供物具。
【請求項３】
上記フィルター保持部と灰受け部は、その底面をフィルター部およびタバコ本体部の外形と同等に湾曲させたＵ字形状であることを特徴とする請求項１記載のタバコ用供物具。
【請求項４】
上記フィルター保持部の底面と上記灰受け部の底面との高低差を少なくとも５．００ｍｍ以上、上記灰受け部の溝幅を少なくとも９．００ｍｍ以上、および上記切り欠き部の高さを７．２０ｍｍ以上としたことを特徴とする請求項１記載のタバコ用供物具。
【請求項５】
上記フィルター保持部の端部および上記灰受け部の端部を、それぞれ上記フィルター保持部の上面と同じ高さに閉塞するとともに、上記フィルター保持部の閉塞面内側を凹状に湾曲させたことを特徴とする請求項１記載のタバコ用供物具。
【請求項６】
上記フィルター保持部の端部及び上記灰受け部の端部を、それぞれに開放したことを特徴とする請求項１記載のタバコ用供物具。
【発明の詳細な説明】
【技術分野】
【０００１】
本発明は、墓前および仏壇等にお参りする際にタバコを供えるタバコ用供物具に関する。
【背景技術】
【０００２】
墓前や仏壇等には、故人が好んでいたタバコ等を備えてお参りすることが行われている。しかし、墓前や仏壇に火を付けたタバコを供えるための供物具は今まで無かった。そのため、例えば墓参の際には、図１９に示すように、墓石１００の前面側に位置されている供物台１０１の上面および供物台１０１の正面に形成されている焼香線香用の凹状の受け部１０２および収納穴１０３に火を付けたタバコ１０４を載置することが行われていた。また、仏壇では灰皿等が用いられていた。
【０００３】
しかし、供物台１０１の受け部１０２や収納穴１０３に火付きタバコ１０４を載置した場合、タバコ１０４の火が僅かな時間で消える場合があり、故人の供養にはそぐわない問題があった。また、風等の外因によりタバコ１０４やその灰が吹き飛ばされて周辺を汚したり、タバコを直接に載置するとタールが付き、時には火のついているタバコ１０４が吹き飛ばされる場合もあり、大変危険な状態を招く恐れもあった。さらに。タバコを直接に載置すると、その部分にタールが付着し、タールを取って綺麗にするのは面倒であり、特に収納穴１０３の場合には灰の除去を含めて後清掃が面倒であった。また、灰皿を用いた場合、故人の供養を行う供え物台としてはそぐわずまた極めて貧弱な感じを与える問題があった。
【発明の開示】
【発明が解決しようとする課題】
【０００４】
今まで無かった、火を付けてタバコを供えることのできる供物具を提供するとともに、タバコのフィルター部を保持し挟持して火が消えるのを防ぐとともに風等の外因によりタバコが吹き飛ばされるのを防いで安全に火付きタバコを供えることができ、また、持ち運びができて水等で簡単に清掃ができ、かつ故人の供養に相応しいタバコ用供物具を提供することを課題とする。
【課題を解決するための手段】
【０００５】
上記課題を解決するために、本発明の請求項１に係るタバコ用供物具は、タバコのフィルター部径と略同じ深さを有しかつ若干狭い幅を有するとともに、上記フィルター部より若干短い溝状のフィルター保持部と、上記フィルター部から延設されたタバコ本体部の径より若干大きな幅を有する溝状の灰受け部とを備え、上記灰受け部の底面をフィルター保持部の底面より下げるとともに、上記灰受け部をフィルター保持部の底面と略同一面として酸欠防止用の切り欠き部を形成し、上記フィルター保持部と灰受け部の合計長をタバコ１本の長さより長くしたことを特徴とする。
【０００６】
本発明の請求項２に係るタバコ用供物具は請求項１において、真鍮またはアルミニウムからなることを特徴とする。
【０００７】
本発明の請求項３に係るタバコ用供物具は、上記フィルター保持部と灰受け部は、その底面をフィルター部およびタバコ本体部の外形と同等に湾曲させたＵ字形状であることを特徴とする。
【０００８】
本発明の請求項４に係るタバコ用供物具は上記フィルター保持部の底面と上記灰受け部の底面との高低差を少なくとも５．００ｍｍ以上、上記灰受け部の溝幅を少なくとも９．００ｍｍ以上、および上記切り欠き部の高さを７．２０ｍｍ以上としたことを特徴とする。
【０００９】
本発明の請求項５に係るタバコ用供物具は上記フィルター保持部の端部および上記灰受け部の端部を、それぞれ上記フィルター保持部の上面と同じ高さに閉塞するとともに、上記フィルター保持部の閉塞面内側を凹状に湾曲させたことを特徴とする。
【００１０】
本発明の請求項６に係るタバコ用供物具は上記フィルター保持部の端部及び上記灰受け部の端部を、それぞれに開放したことを特徴とする。
【発明の効果】
【００１１】
本発明の請求項１によれば、フィルター保持部にフィルター部をその底面に当接させつつ挟持することでタバコ本体部と灰受け部の底面と平行に保持させることができる利点がある。さらに、灰受け部の底面をフィルター部の底面より下げることで、タバコ本体が灰受け部の底面に当接しなくなりタバコ本体部の先端に付けた火が途中で消えることがなくなり、また切り欠き部を設けることがタバコ本体部をフィルター部まで確実に燃やすことができる利点がある。そして、燃えたタバコ本体部の灰は燃えたままの形状で落下して灰受け部に収容され、収容した灰はタバコ用供物具を手に持って傾けたり、反転することで容易に取り除くことができる利点がある。
【００１２】
本発明の請求項２によれば、持ち運びの際に重さの負担がなく、例えばバック、ポケット等に入れて墓地等に携帯できるとともに、適度な重さがあり強風でない限り吹き飛ばされることがなく、安心してタバコに火を付けて保持させ墓前等に設置して故人の供養を行うことができる利点がある。
【００１３】
本発明の請求項３によれば、フィルター部をフィルター保持部の面に当接させて確実に保持できるとともに、底面と立ち上げ側面の連続部に角部ができず、例えば灰受け部に落下した灰が角部に入り込むことがなく、簡単に灰を取り除き、使用後にあっても綺麗な状態を保つことができる利点がある。
【００１４】
本発明の請求項４によれば、供物具は保持したタバコのタバコ本体部をフィルター部まで確実に燃やすことができる利点がある。
【００１５】
本発明の請求項５によれば、燃え終えたタバコのフィルター部を供物具から取り除く際、細い棒状部材を凹状部分に差し込んで手を汚すことなく簡単に行うことができる。また見栄えを良くすることができる利点がある。
【００１６】
本発明の請求項６によれば、タバコ用供物具の長さをより短くでき携帯に便利であるとともに、極めて容易に清掃することができる利点がある。
【発明を実施するための最良の形態】
【００１７】
火を付けた１本のタバコを墓前および仏壇に供えて故人の供養を安全かつ周りを汚さずに行うという目的を、フィルター部の保持部と灰受け部および切り欠き部という簡単な構成により実現した。
【実施例１】
【００１８】
本発明の実施例１を図１〜５に基づいて説明する。図１〜５は本実施例のタバコ用供物具を示し、図１は平面図、図２は正面図、図３は側面図、図４は底面図、図５は斜視図である。
【００１９】
図において、本実施例のタバコ用供物具１は、１本のタバコ２より長いアルミニウムからなる円柱部材の円中心を外した位置で外周面と平行な平面を形成して墓石や仏壇等への設置部３が設けられるとともに、半円形状より若干大きく形成され、供物具本体４となっている。設置部３に対向する上部には、長手方向の中心に沿ってＵ字形状の溝部からなるフィルター保持部５と灰受け部６が直線状に連通されて形成されている。このタバコ用供物具１は不燃性素材である真鍮製で、その長さＬは略１００ｍｍ、高さ略１７ｍｍ、最大幅略１５ｍｍで、長時間携帯する際に、その重さが苦にならないように、略１９０gとなっている。なお、重さの調整は後述する切り欠き部８の切り欠き深でおこなうことができる。
【００２０】
上記フィルター保持部５は、供物具本体４の端部近傍に形成され、供物具本体４の端面側は閉塞部７により塞がれている。フィルター保持部５の底面はフィルター部４の外形と同様に円形に形成されるとともに、この底面と滑らかにつなげた両側面が設置部３に対して垂直に立ち上げられており、フィルター保持部５にフィルター部２ａの外径より若干小さく形成されており、フィルター保持部５にフィルター部２ａを上方から押し込むように入れて保持した際、タバコ本体部２ｂが経時的に傾かないようにしっかりと保持し得るようになっている。この幅は、フィルター部２ａが８．００ｍｍであると、７．２０ｍｍに加工することが好ましい。また、フィルター保持部５の長さは、タバコ本体部２ｂが全部燃え尽くすことができ、かつフィルター部２ａを確実に保持し得るようにフィルター部２ａの長さと略同じで２０ｍｍ程度が好ましい。このフィルター保持部５は、供物具本体４の端部側が閉塞部７により閉塞されており、閉塞部７は、フィルター保持部５の両側面と滑らかにつなげた凹状７ａに形成され、フィルター部２ａの先端との間に隙間ができるようになっている。
【００２１】
上記灰受け部６は、フィルター保持部５と同様にＵ字形状に形成されて、その底面はフィルター保持部５の底面より広く形成され、フィルター保持部５に保持したタバコのタバコ本体部２ｂに付けた火が消えないようになっている。すなわち、灰受け部６の底面最深部は、フィルター保持部５の底面最深部より設置部３の方向に深くなっており、それぞれの底面最深部間の高低差は５．００ｍｍ以上が好ましく、５．００ｍｍ未満であるとタバコ本体部２ｂの火が消える恐れがある。
【００２２】
灰受け部６が設けられている供物具本体４は、フィルター保持部５の底面と略同じ位置で設置部３と平行に取り除いた切り欠き部８が形成されている。その深さは、燃焼力を高めるとともに燃焼時間を短縮するための設計がなされており、通常お墓参りに費やす１０分程度を目安とすると、その深さは７．２０ｍｍが好ましい。この切り欠き部８は、フィルター保持部５で保持したタバコ本体部２ｂの火が酸欠により消えないようにするものであり、切り欠き部８の底面が灰受け部６の上面となっている。この灰受け部６上面の溝幅は略１０ｍｍが好ましく、溝幅が７．００〜９．００ｍｍであるとタバコ２の火が消え、タバコ本体部２ｂが燃焼しなくなる。また、切り欠き部８は、フィルター保持部５との境界部は湾曲状に形成されるとともに、供物具本体４の端面側も湾曲状に形成された閉塞部９が設けられている。
【００２３】
タバコ用供物具１は、表面を無地としても良いが、経文、例えば本人の宗門の唱える言葉や家紋を表すことができる。
【００２４】
本実施例にあっては、タバコ用供物具１のフィルター保持部５に、タバコ本体部２ｂの先端に火を付けた後にフィルター保持部５の溝幅は、フィルター部２ａの外径より小さいので、確実に保持され、経時的に傾くことはない。次に、タバコ用供物具１を設置部３を介して墓石あるいは仏壇に載置して水平に置き、お参りをする。タバコの火は、約１０分程度で燃え尽き、この時間は通常お参りに要する時間と合致している。その後、燃え尽きたタバコ２のフィルター部２ａおよび灰受け部６に載っているタバコ本体部２ｂの灰を取り除いて清掃し、例えば携帯用の袋が有る場合にはタバコ用供物具１を収納して持ち帰る。
【００２５】
比較例１として、図６に示すように、平板上にマクラ１１を設置し、このマクラ１１の上にタバコ２のタバコ本体部２ｂを載置した。この場合、マクラ１１部分でタバコ本体２ｂの火が消えてしまった。
【００２６】
比較例２として、図７に示すようにフィルター保持部１２の底面１２ａと灰受け部１３の底面１３ａとの高低差が３．００ｍｍ未満とし、タバコ本体部２ｂに火を付けたタバコ２のフィルター部２ａをフィルター保持部１２に保持してみたところ、タバコ２の火は消え、燃焼しなかった。
【００２７】
本実施例によれば、タバコ用供物具１に保持したタバコ２は完全に燃え尽きることができた。しかも、その燃焼時間は約１０分とお参りに好都合な長さであった。また、お参り中に風が吹いてもタバコ用供物具１は載置部３を介して安定した状態であった。
【実施例２】
【００２８】
本発明の実施例２を図８〜１０に基づいて説明する。図８〜１０は本実施例のタバコ用供物具１を示し、図８は平面図、図９は正面図、図１０は側面図である。
【００２９】
本実施例のタバコ用供物具２０は、不燃焼素材からなるアルミニウムにより作成され実施例１と同様に、底面に平面状の設置部３を形成した供物具本体２４にフィルター保持部５、灰受け部６、切り欠き部８、閉塞部７、９及び凹部７ａが設けられている。
【００３０】
供物具本体２４は、高さが略２１ｍｍと実施例１のタバコ用供物具１よりも大きくなっているが、作成素材の違いにより９０ｇと軽くなっている。すなわち、供物用本体２４の高さを大きくしたのは、より軽量のアルミニウムを素材に用いたため、その重さを確保するためである。その他の寸法は実施例１と同じであるため、その説明を省略する。
【００３１】
本実施例によれば、タバコ用供物具２０はより軽量化されているので、携帯に便利である。その他の作用効果は実施例１と同様である。
【実施例３】
【００３２】
本発明の実施例３を図１１〜１３に基づいて説明する。図１１〜１３は本実施例のタバコ用供物具を示し、図１１の平面図、図１２は正面図、図１３は図１１の左側面図である。
【００３３】
本実施例のタバコ用供物具３０は、供物用具本体３４が方形状に作成されるとともに、フィルター保持部３５および灰受け部３６の端部がそれぞれ開放されており、供物具本体３４の端部と一致している。そのため、供物用本体３４の長さは略８６ｍｍで、タバコ１本分の長さと略同じになっている。墓石や仏壇等への載置部は供物具本体３４の底面全体で形成されている。素材としては、真鍮やアルミニウムを用いることができる長さ以外の寸法は、素材に対応して実施例１または実施例２と同様なので、その説明を省略する。
【００３４】
本実施例によれば、タバコ用供物具３０の長さをより短くでき、携帯の便利性が増大する。その他の作用、効果は実施例１、２と同様である。
【実施例４】
【００３５】
本明の実施例４を図１４〜１７に基づいて説明する。図１４〜１７は本実施例のタバコ用供物具を示し、図１４は平面図、図１５は正面図、図１６は底面図、図１７は中央縦断面図である。
【００３６】
本実施例のタバコ用供物具４０は墓参り専用の物で、供物具本体４４は円柱形状に形成されている。供物具本体４４の上面側には、その中心にタバコ２のフィルター部２ａを挿入してタバコ２を直立状に保持するフィルター保持部４５が円孔穴形状に形成されている。フィルター保持部４５の底面中心には、タバコの火を消えにくくするための空気孔４６が載置部４３となる供物具本体４４の底面に開口させて穿孔されている。
【００３７】
本実施例のタバコ用供物具４０は、タバコ２を直立状態に保持するので転倒の恐れがあり、墓参り専用とするのが好ましく、またタバコ具本体４４の転倒を防ぐ上で、重量のあるものが好ましく、例えば真鍮、ステンレス等の不燃焼性素材で作成することが好ましい。
【実施例５】
【００３８】
本発明の実施例５を図１８に基づいて説明する。図１８は本実施例のタバコ用供物具を示す断面図である。
【００３９】
本実施例のタバコ用供物具５０は、タバコの保持ばかりでなく、線香５１を立てて焼香可能にしたものである。
【００４０】
実施例１のタバコ用供物具１を参照して説明すると、フィルター保持部５とその底面との境界部分に線香５１を立てる線香挿入穴５２が、灰受け部６の端部方向に斜行させて穿孔されている。尚、線香挿入穴５２は、灰受け部６の端部にフィルター保持部５の端部方向に斜行させて設けても良く、両方に設けてもよい。
【００４１】
本実施例によれば、タバコ２を供物として使用できる場合に限らない線香の置き場所が前日あるいは午前中の雨降りで濡れている際に好都合である。
【図面の簡単な説明】
【００４２】
【図１】本発明の実施例１を示す平面図である。
【図２】本発明の実施例１を示す正面図である。
【図３】本発明の実施例１を示す側面図である。
【図４】本発明の実施例１を示す底面図である。
【図５】本発明の実施例１を示す斜視図である。
【図６】比較例１を示す図である。
【図７】比較例２を示す図である。
【図８】本発明の実施例２を示す平面図である。
【図９】本発明の実施例２を示す正面図である。
【図１０】本発明の実施例２を示す側面図である。
【図１１】本発明の実施例３を示す平面図である。
【図１２】本発明の実施例３を示す正面図である。
【図１３】本発明の実施例３を示す図１１の左側面図である。
【図１４】本明の実施例４を示す平面図である。
【図１５】本明の実施例４を示す正面図である。
【図１６】本明の実施例４を示す底面図である。
【図１７】本明の実施例４を示す中央縦断面図である。
【図１８】本発明の実施例５を示す断面図である。
【図１９】墓石の一般例を示す斜視図である。
【符号の説明】
【００４３】
１、２０、３０、４０、５０  タバコ用供物具
２  タバコ
３、３３、４３  設置部
４、２４、３４、４４  供物具本体
５、３５、４５  フィルター保持部
６、３６  灰受け部
７  閉塞部
７ａ  凹状
８、３８  切り欠き部
９  閉塞部
１１  マクラ
１２  フィルター保持部
１２ａ  底面
１３  灰受け部
１３ａ  底面
１４  底面
１７、４６  空気孔
１９、５１  線香
５２  線香挿入孔
１００  墓石
１０１  供物台
１０２  凹状の受け部
１０３  収納穴
１０４  タバコ
【図１】
2006020792.tif 000003
【図２】
2006020792.tif 000004
【図３】
2006020792.tif 000005
【図４】
2006020792.tif 000006
【図５】
2006020792.tif 000007
【図６】
2006020792.tif 000008
【図７】
2006020792.tif 000009
【図８】
2006020792.tif 000010
【図９】
2006020792.tif 000011
【図１０】
2006020792.tif 000012
【図１１】
2006020792.tif 000013
【図１２】
2006020792.tif 000014
【図１３】
2006020792.tif 000015
【図１４】
2006020792.tif 000016
【図１５】
2006020792.tif 000017
【図１６】
2006020792.tif 000018
【図１７】
2006020792.tif 000019
【図１８】
2006020792.tif 000020
【図１９】
2006020792.tif 000021